(57)【要約】【課題】本発明は、原稿からの反射光を光電変換する光電変換手段へのクロックのクロスポイントを適切に確保して、画像品質を向上させる画像読取装置を提供する。【解決手段】複合装置１は、光源から原稿に読取光を照射して当該原稿からの反射光を走査光学系で３ラインＣＣＤセンサ１６に導入して、３ラインＣＣＤセンサ１６を、ＣＣＤ駆動ドライバ１５９からの少なくともシフト駆動クロック、最終段駆動クロック及びリセットクロックで駆動して画像データの転送を行い、ＣＣＤ駆動ドライバ１５９にタイミング回路１５３から各クロックを供給し、タイミング回路１５３の最終段駆動クロックの位相をＣＰＵ１５０で調整する。このとき、複合装置１は、画像データの転送効率を検査して、当該転送効率の検査結果に基づいて、ＣＰＵ１５０が、最終段駆動クロックの位相を調整する。【選択図】          図１２
2005142960.tif 000002
【特許請求の範囲】
【請求項１】
光源から原稿に読取光を照射して、当該原稿からの反射光を走査光学系で光電変換手段に導入して、当該光電変換手段を、駆動手段からの少なくともシフト駆動クロック、最終段駆動クロック及びリセットクロックで駆動して画像データの転送を行い、当該駆動手段にタイミング信号発生手段から前記各クロックを供給し、当該タイミング信号発生手段の最終段駆動クロックの位相を調整手段で調整する画像読取装置において、前記画像データの転送効率を検査して、当該転送効率の検査結果に基づいて、前記調整手段が、前記最終段駆動クロックの位相を調整することを特徴とする画像読取装置。
【請求項２】
前記タイミング信号発生手段は、前記クロックの位相を設定するレジスタを備え、前記調整手段は、当該レジスタへのクロックの位相の設定制御を行って、前記光電変換手段に供給する前記最終段駆動クロックの位相を調整することを特徴とする請求項１記載の画像読取装置。
【請求項３】
前記光電変換手段は、前記最終段転送クロック及び前記リセットクロックで画像データの出力タイミングが決定され、前記駆動手段は、複数のパッケージＩＣドライバを有し、前記光電変換手段に供給する前記最終段転送クロック及び前記リセットクロックを同一パッケージＩＣドライバで駆動することを特徴とする請求項１または請求項２記載の画像読取装置。
【請求項４】
前記光電変換手段は、前記最終段転送クロック、前記リセットクロック及びクランプクロックで出力タイミングが決定され、前記駆動手段は、複数のパッケージＩＣドライバを有し、前記光電変換手段に供給する前記最終段転送クロック、前記リセットクロック及び前記クランプクロックを同一パッケージＩＣドライバで駆動することを特徴とする請求項１または請求項２記載の画像読取装置。
【請求項５】
前記駆動手段は、前記タイミング信号発生手段の発生する前記最終段転送クロックと前記クランプクロックを共通に使用して前記光電変換手段を駆動することを特徴とする請求項４記載の画像読取装置。
【請求項６】
前記タイミング信号発生手段は、前記クロックの位相を設定するレジスタを備え、前記調整手段は、前記レジスタへのクロックの位相の設定制御を行って、前記光電変換手段に供給する前記リセットクロックの位相を調整することを特徴とする請求項１から請求項５のいずれかに記載の画像読取装置。
【請求項７】
前記光電変換手段は、ＣＣＤであることを特徴とする請求項１から請求項６のいずれかに記載の画像読取装置。
【請求項８】
前記光電変換手段は、３ラインカラーＣＣＤ等の複数ラインＣＣＤであることを特徴とする請求項１から請求項６のいずれかに記載の画像読取装置。
【請求項９】
前記駆動手段は、前記光電変換手段に供給する２相駆動クロックを１相毎に供給する複数のパッケージＩＣドライバを有し、当該２相駆動クロックを同一の前記パッケージＩＣドライバで駆動することを特徴とする請求項１から請求項８のいずれかに記載の画像読取装置。
【請求項１０】
前記駆動手段は、前記光電変換手段に供給する前記最終段位相クロックの位相の調整量を、前記リセットクロック及び前記クランプクロックの位相調整量と等しくすることを特徴とする請求項１から請求項９のいずれかに記載の画像読取装置。
【発明の詳細な説明】
【技術分野】
【０００１】
本発明は、画像読取装置に関し、詳細には、原稿からの反射光を光電変換する光電変換手段へのクロックのクロスポイントを適切に確保して、画像品質を向上させる画像読取装置に関する。
【背景技術】
【０００２】
画像読取装置は、一般的に、光源から原稿に照射して、原稿で反射された反射光をＣＣＤ（Charge Coupled Device ）等の光電変換素子に入射し、光電変換素子で光電変換することで、原稿の画像を読み取っている。
【０００３】
そして、光電変換素子であるＣＣＤは、駆動回路（ドライバ）からの転送クロックＰＨ１（φ１）、ＰＨ２（φ２）、ＰＨ２Ｂ（φ２Ｂ）によって駆動され、転送クロックφ１と転送クロックφ２、最終段転送クロックφ２Ｂは互いに逆相になっているが、この転送クロックＰＨ１↓と転送クロックＰＨ２↑及び転送クロッククロックＰＨ１↑と転送クロックＰＨ２↓のクロスポイントを、ＣＣＤによって電圧レベルは異なるが、１．５Ｖ〜２Ｖ以上に確保する必要がある。ＣＣＤでは、このクロスポイントを確保することができないと、転送効率の低下や電荷の先送り現象（ＰＲＮＵ（Photo Response Non-Uniformity）の悪化）が発生する。
【０００４】
また、転送クロックφ１と転送クロックφ２のクロスポイントにおいては、同一ドライバ上で転送クロックφ１と転送クロックφ２をセット入力することで、各々のドライバーは、それぞれクロスポイントを確保することができるため、複数ドライバで駆動して、その遅延時間が異なっていても、ＣＣＤ内部で複数端子の転送クロックφ１と転送クロックφ２は、それぞれ接続されており、全体としても、クロスポイントは確保される。
【０００５】
同様に、転送クロックφ１と転送クロックφ２Ｂも逆相になっている。また、転送クロックＰＨ１↓と最終段転送クロックＰＨ２Ｂ↑のクロスポイント条件は、上記と同じであるが、転送クロックＰＨ１↑と最終段転送クロックＰＨ２Ｂ↓のクロスポイント条件がないＣＣＤもある。このようなＣＣＤの場合は、最終段転送クロックＰＨ２Ｂ↓を速くすることにより、クロックの５０：５０のＤｕｔｙ（デューティ）比を崩して、パルス幅を調整して、最終段転送クロックＰＨ２ＢのＬレベル領域を広くすることができ、ＣＣＤ出力帰還を広く取ることができる。
【０００６】
そして、転送クロックＰＨ１↓と最終段転送クロックＰＨ２Ｂ↑のクロスポイント条件はあるため、このクロスポイント条件を確保することができないと、転送効率に異常が発生し、転送効率の低下や電荷の先送り現象（ＰＲＮＵの悪化）が発生する。
【０００７】
そして、従来、画像光をアナログ電気信号に変換する光電変換素子と、前記アナログ電気信号をサンプルホールドする手段を有し、少なくとも光電変換素子およびサンプルホールド手段は同一基板上に実装し、光電変換素子の出力タイミングを決定するクロックおよびサンプルホールド信号は同一の素子を介して供給する画像読取装置が提案されている（特許文献１参照）。
【０００８】
【特許文献１】特開平１１−１７７７８３号公報
【発明の開示】
【発明が解決しようとする課題】
【０００９】
しかしながら、上記従来技術にあっては、光電変換素子の出力タイミングを決定するクロックおよびサンプルホールド信号は同一の素子を介して供給するようにしているが、上記転送クロックのクロスポイントを正確に確保して、転送効率を向上させ、電荷の先送り現象の発生を防止する上で、改良の必要があった。
【００１０】
そこで、請求項１記載の発明は、光源から原稿に読取光を照射して、当該原稿からの反射光を走査光学系で光電変換手段に導入して、当該光電変換手段を、駆動手段からの少なくともシフト駆動クロック、最終段駆動クロック及びリセットクロックで駆動して画像データの転送を行い、当該駆動手段にタイミング信号発生手段から各クロックを供給し、当該タイミング信号発生手段の最終段駆動クロックの位相を調整手段で調整するに際して、画像データの転送効率を検査して、当該転送効率の検査結果に基づいて、調整手段が、最終段駆動クロックの位相を調整することにより、転送クロックと最終段転送クロックとのゼロクロスポイントを適切に確保して、転送効率を適正に保ち、転送効率の低下及び電荷の先送り現象（ＰＲＮＵの悪化）の発生を防止して、画像品質を向上させる画像読取装置を提供することを目的としている。
【００１１】
請求項２記載の発明は、タイミング信号発生手段が、クロックの位相を設定するレジスタを備え、調整手段が、当該レジスタへのクロックの位相の設定制御を行って、光電変換手段に供給する最終段駆動クロックの位相を調整することにより、パッケージ間の遅延バラツキ量に応じてレジスタでクロックの位相の設定制御を行って個別に位相を調整し、ＣＰＵ等のコントローラによって位相制御し、また、ＣＣＤ等の光電変換手段自体の転送効率のバラツキ量やその他部品（抵抗、コンデンサ等）のバラツキ量等も含めて最終段駆動クロックの位相をレジスタで設定制御して、個別に調整し、パッケージ間の遅延バラツキがあってもクロスポイントを適切に確保し、転送効率の低下及び電荷の先送り現象（ＰＲＮＵの悪化）の発生をより一層適切に防止して、画像品質をより一層向上させる画像読取装置を提供することを目的としている。
【００１２】
請求項３記載の発明は、光電変換手段が、最終段転送クロック及びリセットクロックで画像データの出力タイミングを決定し、駆動手段が、複数のパッケージＩＣドライバを有して、光電変換手段に供給する最終段転送クロック及びリセットクロックを同一パッケージＩＣドライバで駆動することにより、パッケージ間の遅延バラツキをなくしてリセットクロックのタイミングを適正化して、固体間のリセット不良を低減し、画像品質をより一層向上させる画像読取装置を提供することを目的としている。
【００１３】
請求項４記載の発明は、光電変換手段が、最終段転送クロック、リセットクロック及びクランプクロックで出力タイミングが決定され、駆動手段が、複数のパッケージＩＣドライバを有して、光電変換手段に供給する最終段転送クロック、リセットクロック及びクランプクロックを同一パッケージＩＣドライバで駆動することにより、パッケージ間の遅延バラツキをなくして、タイミング信号発生手段からのクランプクロックにより駆動手段が光電変換手段に出力するクランプクロックのタイミングを適正化して、固体間のクランプ領域が増減することを防止し、安定したＳＮを確保して、画像品質をより一層向上させる画像読取装置を提供することを目的としている。
【００１４】
請求項５記載の発明は、駆動手段が、タイミング信号発生手段の発生する最終段転送クロックとクランプクロックを共通に使用して光電変換手段を駆動することにより、発生元での２信号間のバラツキによる影響をなくして、最終段転送クロックとクランプクロックを共通に使用しないときに比較して、結果的に有効クランプ領域を広くして、ランダムノイズを低減させ、良好なＳＮを確保して、画像品質をより一層向上させる画像読取装置を提供することを目的としている。
【００１５】
請求項６記載の発明は、タイミング信号発生手段が、クロックの位相を設定するレジスタを備え、調整手段が、レジスタへのクロックの位相の設定制御を行って、光電変換手段に供給するリセットクロックの位相を調整することにより、リセットクロックのリセット領域を有効クランプ領域から外して、リセットクロックのパルス幅を狭くし、より一層有効クランプ領域を増加させてランダムノイズを低減させて良好なＳＮを確保するとともに、リセットクロックのパルス幅をレジスタで設定制御できるようにして、個別に調整可能とし、ＣＰＵ等のコントローラによって制御できるようにして、より一層画像品質を向上させる画像読取装置を提供することを目的としている。
【００１６】
請求項７記載の発明は、光電変換手段として、ＣＣＤを用いることにより、縮小光学系の利用を可能とし、焦点深度が得られるようにして、原稿浮きやある程度の立体物の読取も焦点ボケを生じさせることなく行うことのできる画像品質の良好な画像読取装置を提供することを目的としている。
【００１７】
請求項８記載の発明は、光電変換手段として、３ラインカラーＣＣＤ等の複数ラインＣＣＤを用いることにより、転送クロックが複数ライン毎に必要となり、また、駆動するドライバも多数必要となり、複数パッケージＩＣドライバも必要になる複数ラインＣＣＤを用いても、クロスポイントのバラツキ、リセットクロックのバラツキ、クランプクロックのバラツキがそれぞれかみ合わさって読取品質が低下してしまうことを防止し、画像品質の良好な画像読取装置を提供することを目的としている。
【００１８】
請求項９記載の発明は、駆動手段が、光電変換手段に供給する２相駆動クロックを１相毎に供給する複数のパッケージＩＣドライバを有し、当該２相駆動クロックを同一のパッケージＩＣドライバで駆動することにより、クロスポイントをより一層確実に確保し、より一層画像品質を向上させる画像読取装置を提供することを目的としている。
【００１９】
請求項１０記載の発明は、駆動手段が、光電変換手段に供給する最終段位相クロックの位相の調整量を、リセットクロック及びクランプクロックの位相調整量と等しくすることにより、高速動作時の各タイミングを適切に取り、クロスポイントをより一層確実に確保して、より一層画像品質を向上させる画像読取装置を提供することを目的としている。
【課題を解決するための手段】
【００２０】
請求項１記載の発明の画像読取装置は、光源から原稿に読取光を照射して、当該原稿からの反射光を走査光学系で光電変換手段に導入して、当該光電変換手段を、駆動手段からの少なくともシフト駆動クロック、最終段駆動クロック及びリセットクロックで駆動して画像データの転送を行い、当該駆動手段にタイミング信号発生手段から前記各クロックを供給し、当該タイミング信号発生手段の最終段駆動クロックの位相を調整手段で調整する画像読取装置において、前記画像データの転送効率を検査して、当該転送効率の検査結果に基づいて、前記調整手段が、前記最終段駆動クロックの位相を調整することにより、上記目的を達成している。
【００２１】
この場合、例えば、請求項２に記載するように、前記タイミング信号発生手段は、前記クロックの位相を設定するレジスタを備え、前記調整手段は、当該レジスタへのクロックの位相の設定制御を行って、前記光電変換手段に供給する前記最終段駆動クロックの位相を調整するものであってもよい。
【００２２】
また、例えば、請求項３に記載するように、前記光電変換手段は、前記最終段転送クロック及び前記リセットクロックで画像データの出力タイミングが決定され、前記駆動手段は、複数のパッケージＩＣドライバを有し、前記光電変換手段に供給する前記最終段転送クロック及び前記リセットクロックを同一パッケージＩＣドライバで駆動するものであってもよい。
【００２３】
さらに、例えば、請求項４に記載するように、前記光電変換手段は、前記最終段転送クロック、前記リセットクロック及びクランプクロックで出力タイミングが決定され、前記駆動手段は、複数のパッケージＩＣドライバを有し、前記光電変換手段に供給する前記最終段転送クロック、前記リセットクロック及び前記クランプクロックを同一パッケージＩＣドライバで駆動するものであってもよい。
【００２４】
また、例えば、請求項５に記載するように、前記駆動手段は、前記タイミング信号発生手段の発生する前記最終段転送クロックと前記クランプクロックを共通に使用して前記光電変換手段を駆動するものであってもよい。
【００２５】
さらに、例えば、請求項６に記載するように、前記タイミング信号発生手段は、前記クロックの位相を設定するレジスタを備え、前記調整手段は、前記レジスタへのクロックの位相の設定制御を行って、前記光電変換手段に供給する前記リセットクロックの位相を調整するものであってもよい。
【００２６】
また、例えば、請求項７に記載するように、前記光電変換手段は、ＣＣＤであってもよい。
【００２７】
さらに、例えば、請求項８に記載するように、前記光電変換手段は、３ラインカラーＣＣＤ等の複数ラインＣＣＤであってもよい。
【００２８】
また、例えば、請求項９に記載するように、前記駆動手段は、前記光電変換手段に供給する２相駆動クロックを１相毎に供給する複数のパッケージＩＣドライバを有し、当該２相駆動クロックを同一の前記パッケージＩＣドライバで駆動するものであってもよい。
【００２９】
さらに、例えば、請求項１０に記載するように、前記駆動手段は、前記光電変換手段に供給する前記最終段位相クロックの位相の調整量を、前記リセットクロック及び前記クランプクロックの位相調整量と等しくするものであってもよい。
【発明の効果】
【００３０】
請求項１記載の発明の画像読取装置によれば、光源から原稿に読取光を照射して、当該原稿からの反射光を走査光学系で光電変換手段に導入して、当該光電変換手段を、駆動手段からの少なくともシフト駆動クロック、最終段駆動クロック及びリセットクロックで駆動して画像データの転送を行い、当該駆動手段にタイミング信号発生手段から各クロックを供給し、当該タイミング信号発生手段の最終段駆動クロックの位相を調整手段で調整するに際して、画像データの転送効率を検査して、当該転送効率の検査結果に基づいて、調整手段が、最終段駆動クロックの位相を調整するので、転送クロックと最終段転送クロックとのゼロクロスポイントを適切に確保して、転送効率を適正に保つことができ、転送効率の低下及び電荷の先送り現象（ＰＲＮＵの悪化）の発生を防止して、画像品質を向上させることができる。
【００３１】
請求項２記載の発明の画像読取装置によれば、タイミング信号発生手段が、クロックの位相を設定するレジスタを備え、調整手段が、当該レジスタへのクロックの位相の設定制御を行って、光電変換手段に供給する最終段駆動クロックの位相を調整するので、パッケージ間の遅延バラツキ量に応じてレジスタでクロックの位相の設定制御を行って個別に位相を調整して、ＣＰＵ等のコントローラによって位相制御することができ、また、ＣＣＤ等の光電変換手段自体の転送効率のバラツキ量やその他部品（抵抗、コンデンサ等）のバラツキ量等も含めて最終段駆動クロックの位相をレジスタで設定制御して、個別に調整し、パッケージ間の遅延バラツキがあってもクロスポイントを適切に確保することができ、転送効率の低下及び電荷の先送り現象（ＰＲＮＵの悪化）の発生をより一層適切に防止して、画像品質をより一層向上させることができる。
【００３２】
請求項３記載の発明の画像読取装置によれば、光電変換手段が、最終段転送クロック及びリセットクロックで画像データの出力タイミングを決定し、駆動手段が、複数のパッケージＩＣドライバを有して、光電変換手段に供給する最終段転送クロック及びリセットクロックを同一パッケージＩＣドライバで駆動するので、パッケージ間の遅延バラツキをなくしてリセットクロックのタイミングを適正化して、固体間のリセット不良を低減することができ、画像品質をより一層向上させることができる。
【００３３】
請求項４記載の発明の画像読取装置によれば、光電変換手段が、最終段転送クロック、リセットクロック及びクランプクロックで出力タイミングが決定され、駆動手段が、複数のパッケージＩＣドライバを有して、光電変換手段に供給する最終段転送クロック、リセットクロック及びクランプクロックを同一パッケージＩＣドライバで駆動するので、パッケージ間の遅延バラツキをなくして、タイミング信号発生手段からのクランプクロックにより駆動手段が光電変換手段に出力するクランプクロックのタイミングを適正化して、固体間のクランプ領域が増減することを防止することができ、安定したＳＮを確保して、画像品質をより一層向上させることができる。
【００３４】
請求項５記載の発明の画像読取装置によれば、駆動手段が、タイミング信号発生手段の発生する最終段転送クロックとクランプクロックを共通に使用して光電変換手段を駆動するので、発生元での２信号間のバラツキによる影響をなくして、最終段転送クロックとクランプクロックを共通に使用しないときに比較して、結果的に有効クランプ領域を広くして、ランダムノイズを低減させることができ、良好なＳＮを確保して、画像品質をより一層向上させることができる。
【００３５】
請求項６記載の発明の画像読取装置によれば、タイミング信号発生手段が、クロックの位相を設定するレジスタを備え、調整手段が、レジスタへのクロックの位相の設定制御を行って、光電変換手段に供給するリセットクロックの位相を調整するので、リセットクロックのリセット領域を有効クランプ領域から外して、リセットクロックのパルス幅を狭くすることができ、より一層有効クランプ領域を増加させてランダムノイズを低減させて良好なＳＮを確保することができるとともに、リセットクロックのパルス幅をレジスタで設定制御できるようにして、個別に調整可能とすることができ、ＣＰＵ等のコントローラによって制御できるようにして、より一層画像品質を向上させることができる。
【００３６】
請求項７記載の発明の画像読取装置によれば、光電変換手段として、ＣＣＤを用いているので、縮小光学系の利用を可能とすることができ、焦点深度が得られるようにして、原稿浮きやある程度の立体物の読取も焦点ボケを生じさせることなく行って、画像品質を向上させることができる。
【００３７】
請求項８記載の発明の画像読取装置によれば、光電変換手段として、３ラインカラーＣＣＤ等の複数ラインＣＣＤを用いているので、転送クロックが複数ライン毎に必要となり、また、駆動するドライバも多数必要となり、複数パッケージＩＣドライバも必要になる複数ラインＣＣＤを用いても、クロスポイントのバラツキ、リセットクロックのバラツキ、クランプクロックのバラツキがそれぞれかみ合わさって読取品質が低下してしまうことを防止することができ、画像品質を向上させることができる。
【００３８】
請求項９記載の発明の画像読取装置によれば、駆動手段が、光電変換手段に供給する２相駆動クロックを１相毎に供給する複数のパッケージＩＣドライバを有し、当該２相駆動クロックを同一のパッケージＩＣドライバで駆動しているので、クロスポイントをより一層確実に確保することができ、より一層画像品質を向上させことができる。
【００３９】
請求項１０記載の発明の画像読取装置によれば、駆動手段が、光電変換手段に供給する最終段位相クロックの位相の調整量を、リセットクロック及びクランプクロックの位相調整量と等しくしているので、高速動作時の各タイミングを適切に取ることができ、クロスポイントをより一層確実に確保して、より一層画像品質を向上させることができる。
【発明を実施するための最良の形態】
【００４０】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００４１】
図１〜図２３は、本発明の画像読取装置の一実施例を示す図であり、図１は、本発明の画像読取装置の一実施例を適用した複合装置１の概略構成図である。
【００４２】
図１において、複合装置１は、電子写真プロセスを用いたコピー機能、スキャナ機能及びファクシミリ機能等の各種機能を有したカラーの複合装置であり、画像読取ユニット２、書込ユニット３、画像形成ユニット４、給紙ユニット５及び手差しユニット６を備えている。
【００４３】
画像読取ユニット２は、コンタクトガラス１１上にセットされた原稿を圧板１２で押さえつけ、コンタクトガラス１１の下部に配設されている第１走行体１３上の光源から原稿に光を照射して、当該原稿で反射された反射光を第１走行体１３上のミラーで第２走行体１４上のミラーに反射する。画像読取ユニット２は、第２走行体１４上のミラーに第１走行体１３上のミラーから入射される反射光を第２走行体１４でレンズ１５方向に反射して、レンズ１５を通して３ラインＣＣＤ（Charge Coupled Device ）センサ１６に入射し、３ラインＣＣＤセンサ１６で光電変換して、原稿の画像を読み取る。画像読取ユニット２は、３ラインＣＣＤセンサ１６で光電変換した原稿の画像データを書込ユニット３に送る。上記第１走行体１３上のミラー、第２走行体１４上のミラー及びレンズ１５は、全体として、走査光学系を構成している。
【００４４】
そして、画像読取ユニット２は、第１走行体１３と第２走行体１４が、上述のようにして原稿を主走査しつつ副走査方向に移動して、原稿を主走査及び副走査して、原稿の画像を読み取る。
【００４５】
画像形成ユニット（画像形成部）４は、トナー像の形成及びそのトナー像の転写紙への転写を行う部分であり、書込ユニット３により静電潜像の書き込まれる感光体２１の周囲に各プロセス部を備えている。すなわち、感光体２１の周囲には、帯電器２２、ブラック（Ｂｋ）、シアン（Ｃ）、マゼンタ（Ｍ）、イエロー（Ｙ）の各色のトナーを感光体２１に供給して現像する現像部２３、中間転写部２４、感光体２１上に残留するトナーをクリーニングするクリーニング部２５、除電部２６が順番に配置されており、さらに、転写部２７及び定着部２８等を備えている。
【００４６】
感光体２１は、図１に矢印で示す反時計方向に回転駆動され、帯電器２２で一様に帯電されて、書込ユニット３から画像データで変調されたレーザ光が照射されることで、静電潜像が形成される。
【００４７】
現像部２３は、静電潜像の形成された感光体２１に、トナーを供給して、現像し、中間転写部２４は、中間転写ベルト２９を備えていて、感光体２１上のトナー像が転写される。転写部２７は、感光体２１上から中間転写部２４の中間転写ベルト２９に転写されたトナー像を給紙ユニット５から搬送されてきた転写紙に転写する。
【００４８】
画像形成ユニット４は、フルカラーで画像形成する場合には、書込ユニット３により、ブラック（Ｂｋ）、シアン（Ｃ）、マゼンタ（Ｍ）、イエロー（Ｙ）の各色の静電潜像が感光体２１に書き込まれ、現像部２３は、当該各色の静電潜像を当該色のトナーで現像して、各色のトナー像を順次中間転写部２４の中間転写ベルト２９上に重ね合わせて転写する。中間転写部２４は、各色のトナー像が重ね合わされて転写されたフルカラーのトナー像を給紙ユニット５から搬送されてくる転写紙に転写する。
【００４９】
クリーニング部２５は、転写の完了した感光体２１上に残留するトナーを除去し、除電部２６は、クリーニング部２５で残留トナーの除去された感光体２１を除電する。
【００５０】
定着部２７は、トナー像の転写された転写紙を、加熱される定着ローラと当該定着ローラに加圧されて回転する加圧ローラにより、搬送しつつ加熱・加圧して、トナー像を転写紙に定着させ、定着の完了した転写紙を複合装置１の側面に取り付けられている排紙トレイ（図示略）上に排出する。
【００５１】
給紙ユニット（給紙部）５は、それぞれ複数枚の転写紙の載置される３つの給紙トレイ３１〜３３及び搬送機構部３４等を備え、搬送機後部３４が、各給紙トレイ３１〜３３のうち、適宜選択された給紙トレイ３１〜３３から転写紙を１枚ずつ画像形成ユニット４の転写部２７と中間転写ベルト２９との間にタイミング調整を行って搬送する。
【００５２】
手差しユニット６は、複数枚の転写紙が手操作で載置され、載置された転写紙を１枚ずつ画像形成ユニット４の転写部２７と中間転写ベルト２９との間にタイミング調整を行って搬送する。
【００５３】
そして、複合装置１は、図２に示すように、ブロック構成されており、システム制御ユニット４１、操作部ユニット４２、画像表示ユニット４３、複写機機構部４４、画像処理ユニット４５及び上記画像読取ユニット２と画像書込ユニット３等を備えている。
【００５４】
画像読取ユニット２は、上記読み取った原稿の画像データを画像処理ユニット４５に送り、画像処理ユニット４５では、スキャナγ補正、色変換、主走査変倍、画像分離、加工、エリア処理、階調補正処理等の画像処理を行なった画像データーを画像書込ユニット３に出力する。
【００５５】
画像書込ユニット３は、この画像処理ユニット４５から入力される画像処理された画像データに応じてＬＤ（レーザーダイオード）の駆動を変調して、変調したレーザ光を感光体２１に照射する。
【００５６】
複写機機構部４４は、システム制御ユニット４１の制御下で動作して、原稿の搬送、転写紙の搬送等の各種機構部の駆動を行う。
【００５７】
また、複合装置１は、システム制御部ユニット４１が、回線を介して接続されている相手ファクシミリ装置等の相手端末とファクシミリ制御手順を実行し、当該相手端末から送信されてくる画像データをファクシミリ受信し、また、画像読取ユニット２の読み取った原稿の画像データを相手端末にファクシミリ送信する。
【００５８】
画像表示ユニット４３は、システム制御ユニット４１の制御下で動作して、画像読取ユニット２の読み取った原稿の画像を図示する。
【００５９】
すなわち、画像表示ユニット４３は、図３に示すように、ＬＣＤ（Liquid Crystal Display）パネル５１を備えており、ＬＣＤパネル５１には、読み取った画像が表示されるとともに、カーソル５２が表示される。画像表示ユニット４３のＬＣＤパネル５１の下部には、原稿の読取をスタートさせる読取キー５３、画像全体の表示を指示する全体キー５４、画像の拡大を指示する拡大キー５５、画面の移動を指示操作する画面移動キー５６、カーソル５２を移動させるカーソルキー５７、カーソル５２の示している点を指定する点指定キー５８、エリア指定時の始点と終点を結ぶ閉じキー５９、最後に指定した点を取り消すクリアキー６０、指定した全ての点を取り消すオールクリアキー６１、ＬＣＤパネル５１のコントラストを調整するコントラスト調整つまみ６２及びＬＣＤパネル５１の明るさを調整する明るさ調整つまみ６３等が設けられている。
【００６０】
この画面表示ユニット４３は、図４に示すように、ＶＲＡＭ（Video Random Access Memory）７１、ＬＣＤコントローラ７２、ＬＣＤパネル５１、キーボード７３、ＲＯＭ（Read Only Memory）７４、ＣＰＵ（Central Processing Unit ）７５、シリアル通信ドライバ７６、ＳＲＡＭ（Static  ＲＡＭ）７７、ＤＲＡＭ（Dynamic Random Access Memory）７８、ＦＩＦＯ（First-In First-Out）７９及び画像データ信号バッファ８０等を備えており、上記各キー５３〜６１及びコントラスト調整つまみ６２と明るさ調整つまみ６３は、キーボード７３として総称されている。画像表示ユニット４３は、ＣＰＵの内蔵するＤＭＡＣ（Direct Memory Access Controller ：ＤＭＡコントローラ）が、画像処理ユニット４５で画像処理された画像データを、画像データ信号バッファ８０及びＦＩＦＯ７９を介して画像データ格納用のＤＲＡＭ７８に格納し、また、画像表示ユニット４３には、システム制御ユニット４１から画像データとともに、画像データ制御信号も送られており、ＣＰＵ７５の内蔵するＤＭＡＣは、有効画像領域の画像データのみをＤＲＡＭ７８に取り込む。画像表示ユニット４３は、ＤＲＡＭ７８に格納した有効画像データを、ＣＰＵ７５がＶＲＡＭ７１に転送するが、このとき、ＣＰＵ７５は、キーボード７３からのキー操作による指示に応じて、ＤＲＡＭ７８内の画像データの任意の部分を転送したり、拡大・縮小・間引き等の処理を行い、ＶＲＡＭ７１に転送した画像データに基づいてＬＣＤコントローラ７２がＣＰＵ７５の制御下で、ＬＣＤパネル５１に画像を表示させる。また、ＣＰＵ７５は、画像表示ユニット７３のコントラスト調整つまみ６２や明るさ調整つまみ６３が操作されると、当該操作に応じて、ＬＣＤコントローラ７２を介して、ＬＣＤパネル５１のコントラストや明るさを調整する。
【００６１】
操作部ユニット４２は、図５に示すように、ＬＣＤタッチパネル８１、テンキー８２、モードクリア／予熱キー８３、割り込みキー８４、画質調整キー８５、プログラムキー８６、スタートキー８７、クリア／ストップキー８８、エリア加工キー８９、輝度調整つまみ９０及び初期設定キー９１等を備えている。
【００６２】
ＬＣＤタッチパネル８１は、操作部ユニット４２で行われた各種操作や複合装置１からユーザに通知する各種情報、例えば、紙サイズ、給紙段、倍率等を表示出力するとともに、複合装置１の備えているコピーモード、スキャナモード、ＦＡＸモード等の各種モードに対応した操作ボタンを表示し、操作ボタンへのタッチ操作により、複合装置１に対する各種操作を可能とする。
【００６３】
テンキー８２は、コピー枚数等の数値入力を行うのに使用され、モードクリア／予熱キー８３は、設定したモードを取り消して初期設定に戻す場合や一定時間以上の連続押下で予熱状態とする設定を行う。割り込みキー８４は、コピー中に割り込みを行って別の原稿のコピーを行う場合に使用され、画質調整キー８５は、画質の調整を行う場合に使用される。プログラムキー８６は、よく使用するモードの登録や呼出を行う場合に使用され、スタートキー８７は、コピー開始を指示操作するのに使用される。クリア／ストップキー８８は、入力した数値をクリアする場合やコピー途中でコピーを中断する場合等に使用される。エリア加工キー８９は、画像表示ユニット４３の画面上でエリア加工・編集等のモードを使用する場合に使用され、輝度調整つまみ９０は、ＬＣＤタッチパネル８１の画面の明るさを調整するのに使用される。初期設定キー９１は、ユーザが初期設定を選択可能なときに使用される。
【００６４】
操作部ユニット４２は、システム制御ユニット４１に接続されており、操作部ユニット４２の操作内容をシステム制御ユニット４１に通知するとともに、システム制御ユニット４１の制御下で、ＬＣＤタッチパネル８１への表示データの表示を行い、また、ＬＣＤタッチパネル８１の操作ボタンの操作結果のシステム制御ユニット４１への通知を行う。
【００６５】
そして、ＬＣＤタッチパネル８１には、例えば、図６に示すように、カラーモード、自動濃度、マニュアル濃度、画質モード、自動用紙選択、用紙トレイ、用紙自動変倍、等倍、ソート、スタック等のモード選択表示が行われ、さらに、クリエイト、カラー加工、両面、変倍等のサブ画面選択表示もある。各表示の大きさと同様の大きさのキーがタッチパネル上に設定されている。
【００６６】
この図６の変倍キーが押下されると、図７にその画面展開を示すように、画面下方から変倍設定画面がスクロールアップされ、変倍設定画面には、定型変倍（予め変倍率が設定されている変倍モード）用のキーが設定されている。例えば、７１％の部分のタッチパネルキーを押下すると、変倍率７１％が選択される。また、この変倍設定画面には、定型変倍以外の変倍モードを選択するため、ズームキー、寸法変倍キー、独立変倍／拡大連写キーが画面左側に設定されている。
【００６７】
上記ＬＣＤタッチパネル８１は、そのタッチパネル検出回路１００が、図８に示すように構成され、タッチパネル検出回路１００は、コントローラ１０１が、タッチパネル検出回路１００の全体を制御している。タッチパネル検出回路１００は、ＬＣＤタッチパネル８１のＸ軸方向及びＹ軸方向のアナログの検出信号をＡ／Ｄコンバータ１０２で、デジタル信号に変換する。具体的には、タッチパネル検出回路１００は、コントローラ１０１により検出端子をＨｉｇｈ（ハイ）状態にし、Ｘ１、Ｘ２、Ｙ１、Ｙ２を、図９に示す組み合わせ表に基づいて設定され、Ｙ１、Ｙ２の回路は抵抗Ｒでプルアップされているので、ＬＣＤタッチパネル８１がオフのとき、Ｙ１は＋５Ｖになり、オンのときは０Ｖになる。したがって、コントローラ１０１は、Ａ／Ｄコンバータ１０２の出力からＬＣＤタッチパネル８１のオン／オフの状態を確認することができる。コントローラ１０１は、ＬＣＤタッチパネル８１がオンの状態であることを検知すると、測定モードに切り換え、Ｘ方向のときは、Ｘ１が＋５Ｖ、Ｘ２が０Ｖになり、入力位置の電位をＹ１を通してＡ／Ｄコンバータ１０２に入力されて、座標を算出する。また、コントローラ３１２は、Ｙ方向の座標も回路を切り換えて同様に算出し、ＬＣＤタッチパネル８１の押下位置を検出する。
【００６８】
また、上記操作部ユニット４２は、図１０に示すように回路構成されており、ＣＰＵ１１０、アドレスラッチ１１１、ＲＯＭ１１２、システムリセット１１３、アドレスデコーダ１１４、ＬＥＤ（Light Emitting Diode）ドライバ１１５、キーボード１１６、ＬＣＤコントローラ１１７、アナログのタッチパネル１１８とＬＣＤモジュール１１９、ＲＯＭ１２０、ＲＡＭ１２１及び光トランシーバ１２２等を備えている。
【００６９】
ＬＣＤコントローラ１１７には、ＣＰＵ１１０からのアドレスバス、データバスの他に、ＬＥＤドライバ１１５、キーボード１１６、アナログのタッチパネル１１８、ＬＣＤモジュール１１９及び表示データ用のＲＯＭ１２０、ＲＡＭ１２１等が接続されており、ＣＰＵ１１０には、外部とシリアル通信を実行する光トランシーバ１２２が接続されている。
【００７０】
操作部ユニット４２は、ＣＰＵ１１０がＲＯＭ１１２内のプログラムに基づいて操作部ユニット４２の各部を制御し、ＣＰＵ１１０からのアドレス信号をアドレスラッチ１１１に取り込んで、ＣＰＵ１１０からの信号により制御する。アドレスラッチ１１１を出た信号は、その一部がアドレスデコーダ１１４に入力され、ここで各ＩＣへのチップセレクトを作成して、メモリマップの作成に使用される。また、アドレスは、ＲＯＭ１１２、１２０、ＲＡＭ１２１等のメモリやＬＣＤコントローラ１１７に入り、アドレス指定に使用される。一方、ＣＰＵ１１０からのデータバスは、メモリやＬＣＤコントローラ１１７に接続され、データの双方向通信が実行される。また、ＬＣＤコントローラ１１７は、キーボード１１６からの信号やタッチパネル１１８からの信号によりＲＯＭ１２０、ＲＡＭ１２１の格納データから表示データを作成し、ＬＣＤモジュール１１９への表示を制御する。なお、システムリセット１１３は、ＣＰＵ１１０に接続され、操作部ユニット４２のシステムとしてのリセットを行う。
【００７１】
そして、複合装置１は、その回路ブロック構成図の要部が、図１１のように示され、３ラインＣＣＤセンサ１６、ＲＧＢそれぞれ用の３つのエミッタホロワ１３１、１３２、１３３、ＲＧＢそれぞれ用の３つのアナログ処理回路１３４、１３５、１３６、ＲＧＢそれぞれ用の３つのＡ／Ｄコンバータ１３７、１３８、１３９、シェーディング補正回路１４０、ＲＧ用のライン間補正メモリ１４１、１４２、ドット補正回路１４３、スキャナγ補正回路１４４、ディレイメモリ１４５、ＲＧＢフィルタ１４６、プリンタγ補正回路１４７、自動原稿色判定回路１４８、自動画像分離回路１４９、ＣＰＵ１５０、ＲＯＭ１５１、ＲＡＭ１５２、タイミング回路１５３、モータドライバ１５４、パルスモータ１５５、ランプレギュレータ１５６、ハロゲンランプ１５７、Ｉ／Ｏ１５８及び上記システム制御ユニット４１、操作部ユニット４２及び画像表示ユニット４３等を備えており、タイミング回路１５３と３ラインＣＣＤセンサ１６との間には、図１２に示すＣＣＤ駆動ドライバ１５９が配設されている。また、複合装置１には、外部画像評価装置２００が接続される。
【００７２】
ＣＰＵ１５０、ＲＯＭ１５１及びＲＡＭ１５２は、画像処理ユニット（ＩＰＵ（Image Processing Unit））４５の制御部上に搭載され、ＣＰＵ１５０が、ＲＯＭ１５１内のプログラムを実行してＲＡＭ１５２のデータ等を読み書きすることで、全体の制御を行っている。ＣＰＵ１５０は、システム制御ユニット４１とシリアル通信で接続されており、コマンド及びデータの送受信により指令された動作を行う。
【００７３】
システム制御ユニット４１は、操作部ユニット４２とシリアル通信で接続されており、操作部ユニット４２でのオペレータからのキー入力指示により動作モード等が指示設定される。
【００７４】
ＣＰＵ１５０は、Ｉ／Ｏ１５８である原稿検知センサ、ＨＰセンサ、圧板開閉センサ、冷却ファン等に接続されおり、各種センサの検知及びファン等のＯＮ／ＯＦＦの制御を行っている。
【００７５】
スキャナモータドライバ１５４は、ＣＰＵ１５０からのＰＷＭ（Pulse Wide mosulation:パルス幅変調）出力によりドライブされ、励磁パルスシーケンスを発生して原稿走査駆動用のパルスモータ１５５を駆動する。
【００７６】
画像読取ユニット２は、コンタクトガラス１１上にセットされた原稿を圧板１２で押さえつけ、コンタクトガラス１１の下部に配設されている第１走行体１３上の光源であるハロゲンランプ１５７から原稿に光を照射して、当該原稿で反射された反射光を第１走行体１３上のミラーで第２走行体１４上のミラーに反射する。画像読取ユニット２は、第２走行体１４上のミラーに第１走行体１３上のミラーから入射される反射光を第２走行体１４でレンズ１５方向に反射して、レンズ１５を通して３ラインＣＣＤセンサ（光電変換手段）１６に入射し、３ラインＣＣＤセンサ１６で光電変換して、原稿の画像を読み取る。ＣＰＵ（調整手段）１５０は、ランプレギュレータ１５６を介して光源であるハロゲンランプ１５７を駆動して、このハロゲンランプ１５７の光量出力の原稿からの反射光の光信号を複数ミラー及びレンズを通して３ラインＣＣＤセンサ１６に結像させる。
【００７７】
３ラインＣＣＤセンサ１６は、画像処理ユニット４５の制御部上のタイミング回路（タイミング信号発生手段）１５３によって、各駆動クロックを与えられて各ＲＧＢのｏｄｄ、ｅｖｅｎのアナログの画像信号をエミッタホロワ１３１〜１３３に出力し、エミッタホロワ１３１〜１３３は、画像信号をアナログ処理回路１３４〜１３６に出力する。アナログ処理回路１３４〜１３６は、入力されるアナログの画像信号に対して減算法ＣＤＳ（相関二重サンプリング回路）を実行して、３ラインＣＣＤセンサ１６のオプティカルブラック部でラインクランプを実施し、ｏｄｄとｅｖｅｎの出力差を補正して、それぞれのアンプゲイン調整を行う。アナログ処理回路１３４〜１３６は、ゲイン調整を行った画像信号をマルチプレクサで合成して、最終的にＤＣレベルのオフセット調整を行った後に、Ａ／Ｄコンバータ１３７〜１３９へ出力する。
【００７８】
各Ａ／Ｄコンバータ１３７〜１３９は、各アナログ処理回路１３４〜１３６から入力されたアナログ信号をデジタル化して、シェーディング補正回路１４０に出力して、シェーディング補正回路１４０入力されるデジタルの画像データには、照明系の光量不均一や３ラインＣＣＤセンサ１６の画素出力のバラツキの補正を施し、Ｒ画像データとＧ画像データをそれぞれライン間補正メモリ１４１、１４２に出力して、Ｂ画像データを直接ドット補正回路１４３に出力する。ライン間補正メモリ１４１、１４２は、それぞれ３ラインＣＣＤセンサ１６のＢとＧ、ＢとＲのライン数の画像データを遅延させて、ＢＧＲの読取画像の１ライン以上の位置合わせを行い、ドット補正回路１４３に出力する。
【００７９】
ドット補正回路１４３は、ライン間補正メモリ１４１、１４２から出力された画像データをＲＧＢデータの１ライン以内のドットのズレを補正して、スキャナγ補正回路１４４に出力し、スキャナγ補正回路１４４は、反射率リニアデータをルックアップテーブル方式で補正して、ディレイメモリ１４５を介してＲＧＢフィルタ１４６に出力するとともに、自動原稿色判定回路１４８、自動画像分離回路１４９及び外部画像評価装置２００に出力する。
【００８０】
自動原稿色判定回路１４８は、スキャナγ補正回路１４４から入力される画像データにＡＣＳ（有彩／無彩判定）処理を行い、このＡＣＳ処理では、黒及び灰色の判定を行う。
【００８１】
自動画像分離回路１４９は、スキャナγ補正回路１４４から入力される画像データに像域分離（文字／網点）処理を行い、この像域分離処理では、エッジ判定（白画素と黒画素の連続性により判定）、網点判定（画像中の山／谷ピーク画素の繰り返しパターンにより判定）、写真判定（文字・網点外で画像データある場合）を行って、文字及び印刷（網点）部、写真部の領域を判定する。
【００８２】
自動原稿色判定回路１４８及び自動画像分離回路１４９の処理結果は、ＣＰＵ１５０に伝えられ、後段のＲＧＢフィルタ１４６の色変換、プリンタγ補正１４７のＹＭＣＫフィルタや階調処理でのパラメータや係数の切り換えに使用される。
【００８３】
ＲＧＢフィルタ１４６は、フィルタ、色変換部、変倍処理部及びクリエイト部を備え、フィルタで、ディレイメモリ１４５から入力される画像データに、ＲＧＢのＭＴＦ補正、平滑化、エッジ強調、スルー等のフィルタ係数を先の判定領域により切り換えて設定してフィルタ処理を実行する。また、ＲＧＢフィルタ１４６は、色変換処理では、ＲＧＢデータからＹＭＣＫ変換、ＵＣＲ（下色除去）、ＵＣＡ処理を実行し、変倍処理では、主走査の画像データに対して拡大／縮小処理を実行する。さらに、ＲＧＢフィルタ１４６は、Ｉ／Ｆを介して画像表示ユニット４３に接続されており、画像表示ユニット４３への分岐を、この処理後に行う。また、ＲＧＢフィルタ１４６は、クリエイトでは、クリエイト編集、カラー加工を行い、クリエイト編集では、斜体、ミラー、影付け、中抜き処理等を実行し、カラー加工では、カラー変換、指定色消去、アンダーカラー等を実行する。
【００８４】
プリンタγ補正回路１４７は、先の判定領域に基づいてプリンタγ変換とフィルタ係数の設定を行い、階調処理では、ディザ処理を実行し、ビデオコントロールでは、書き込みタイミング設定や画像領域、白抜き領域の設定やグレースケールやカラーパッチ等のテストパターン発生を行うって、最終画像データを書き込み処理でＬＤ（レーザーダイオード）へ出力できるように処理してＬＤへ出力する。
【００８５】
上記各部の各機能処理は、ＣＰＵ１５０に接続されおり、ＣＰＵ１５０は、ＲＯＭ１５１に格納されているプログラムに基づいて各処理の設定と動作をシステム制御ユニット４１の指示により実行する。
【００８６】
複合装置１には、外部出力として、上記外部画像評価装置２００が接続されており、へスキャナγ補正後のＲＧＢ画像データを出力する。外部画像評価装置２００は、画像データから転送効率を算出して、転送効率の低下、電荷先送り現象の結果よりＰＨ２Ｂの位相調整遅れ進み方向、位相シフト量を決定して、シリアル通信でシステム制御ユニット４１を介して複合装置１のＣＰＵ１５０へ入力して、調整できるようにする。
【００８７】
上記タイミング回路１５３及びＣＣＤ駆動ドライバ（駆動手段）１５９は、図１２に示すように配設されており、タイミング回路１５３は、クロック発生回路１６１、バスＩ／Ｆ１６２、コントロール回路を備えたレジスタ設定部１６３、ＰＬＬ（Phase Locked Loop ）回路１６４、ＣＣＤクロック発生回路１６５及びパルス調整回路１６６等を備え、ＰＬＬ回路１６４は、位相周波数検出器１７１、チャージポンプ１７２、電圧制御オシレータ１７３及び分周器１７４を備えていて、ＰＬＬ回路１６４の位相周波数検出回路１７１には、発振器２００からクロックが入力される。
【００８８】
タイミング回路１５３は、発振器１８０からのクロックをＰＬＬ回路１６４の入力とし、ＣＰＵバスＩ／Ｆ１６２を介してレジスタ１６３の設定で分周器１７４を設定し、４逓倍クロックを発生して、このクロックを元として各種クロックを発生する。タイミング回路１５３は、ＣＣＤクロック発生回路１６５から３ラインＣＣＤセンサ１６を駆動する第１相転送クロックＰＨ１、第２相転送クロックＰＨ２、最終段転送クロックＰＨ２Ｂ、リセットクロックＲＳ、クランプクロックＣＰ、シフトゲートクロックＳＨを発生して、後段のパルス調整回路１６６に入力し、レジスタ設定部１６３のコントロールに従って個々のクロックパルスの位相シフト量とパルス幅増減量を調整して、ＣＣＤ駆動ドライバ１５９に出力する。このパルス位相シフト量は、上記４逓倍クロックの半周期単位でシフト量を調整する機能を有しており、また、パルス幅増減量も、上記４逓倍クロックの半周期単位でパルス幅量を増減する機能を有している。
【００８９】
上記ＣＣＤ駆動ドライバ１５９は、図１３に示すように、駆動素子１８１ａ〜１８１ｉを備え、３ラインＣＣＤセンサ１６の第１、第２相転送クロックＰＨ１、ＰＨ２の１端子に対して駆動素子１８１ａ〜１８１ｉがそれぞれ２個並列に接続されている。この３ラインＣＣＤセンサ１６の第１、２相転送クロックＰＨ１、ＰＨ２は、図１３に示すように、入力容量がＭＡＸ１５０ｐＦ、ＴＹＰ１００ｐＦの端子が各８端子あり、各駆動素子１８１ａ〜１８１ｉの入力容量をＭＡＸ１０ｐＦとして、タイミング回路１５３の入力容量は、１端子で駆動する場合は各端子が、波形整形及びタイミング微調整用のコンデンサ４７ｐＦを含めて、ＭＡＸ１０×１６＋４７＝２０７ｐＦとなる。なお、図１３では、駆動素子１８１ａ〜１８１ｉとして、ＡＣＴ０４を使用した場合を示している。
【００９０】
ＣＣＤ駆動ドライバ１５９の駆動素子１８１ａ〜１８１ｉのパッケージングの割り振りにおいて、第１相転送クロックφ１Ａ（ＰＨ１）、第２相転送クロックφ２Ａ（ＰＨ２）をそれぞれ同じ信号同士のパッケージング割り振りをした場合は、駆動素子１８１ａ〜１８１ｉのパッケージングのバラツキにより、第１相転送クロックＰＨ１と第２相転送クロックＰＨ２の位相ズレが大きくなり、クロスポイントを確保することが困難となる。実際には、ＣＣＤ駆動ドライバ１５９のドライバーＩＣとして、図１４に示すようなＡＣＴ０４を用いると、伝搬遅延時間がロットＡ、Ｂ、Ｃにより温度によっては最大４ｎｓ程度のバラツキが発生し、このロット間のバラツキが、ＡＣＴ０４、すなわち、駆動素子１８１ａ〜１８１ｉのパッケージのバラツキとなる。
【００９１】
これに対して、本実施例の複合装置１のＣＣＤ駆動ドライバ１５９のパッケージングの割り振りは、図１３に示すように、対になる第１、２相転送クロックＰＨ１、ＰＨ２を同一パッケージにすることでパッケージ間の遅延バラツキを無くし、第１相転送クロックＰＨ１と第２相転送クロックＰＨ２のクロスポイントを確保している。
【００９２】
図１３のドライバ部における入出力のタイミングチャートは、図１５のように示され、図１５（ａ）に示すように、ドライバ入力（タイミング回路１５３の出力）である第１相転送クロックＸＰＨ１、第２相転送クロックＸＰＨ２、最終段転送クロックＸＰＨ２Ｂは、クロックデューティ（Ｄｕｔｙ）比５０：５０のＴ１：Ｔ１と等しくなっている。この信号が、図１５（ｂ）に示すように、ＡＣＴ０４で構成されている駆動素子１８１ａ〜１８１ｉの入力となり、反転してドライバ出力として３ラインＣＣＤセンサ１６を駆動する。ＣＣＤ入力転送クロックの第１相転送クロックＰＨ１、第２相転送クロックＰＨ２、最終段転送クロックＰＨ２Ｂで同様にＤｕｔｙ比５０：５０のＴ１：Ｔ１と等しくなっている。このときの第１相転送クロックＰＨ１と第２相転送クロックＰＨ２のクロスポイントは、図１５（ｃ）に示すように、第１相転送クロックＰＨ１の立ち下がりと立ち上がりのどちらも２Ｖ以上でありクロスポイントの規格値を満足している。また、同様に、第１相転送クロックＰＨ１と最終段転送クロックＰＨ２Ｂのクロスポイントも、第１相転送クロックＰＨ１の立ち下がりと立ち上がりのどちらも２Ｖ以上でありクロスポイントの規格値を満足している。
【００９３】
なお、ＣＣＤ駆動ドライバ１５９としては、上記構成に限るものではなく、例えば、図１６に破線の丸で示すように、最終段転送クロックＸＰＨ２ＢをクランプクロックＸＣＰに共通に使用してもよい。
【００９４】
すなわち、図１６のＣＣＤ駆動ドライバ１５９では、丸点線部分に示すように、図１３と比較して、最終段転送クロックＸＰＨ２ＢとクランプクロックＸＣＰの接続を変更して、最終段転送クロックＸＰＨ２ＢをクランプクロックＸＣＰと共通で使用する回路となっている。
【００９５】
図１６の回路構成のＣＣＤ駆動ドライバ１５９では、そのタイミングチャートを、図１７のように示すことができ、クランプクロックＣＰによる有効クランプ領域が、リセットクロックＲＳ↓から最終段転送クロックＰＨ２Ｂ↓までとなるため、別パルスのクランプクロックＣＰではなく、最終段転送クロックＰＨ２Ｂ信号を共通に入れることにより、そのときのリセットクロックＲＳのパルス幅での最大の有効クランプ幅を取ることができる。有効クランプ幅の仕様は、３ラインＣＣＤセンサ１６によって変わるが、有効クランプ幅が確保されていないと、３ラインＣＣＤセンサ１６のランダムノイズが増加する傾向になる。
【００９６】
本実施例は、クロスポイントを容易に確保することができることと、上記ＣＣＤ駆動ドライバ１５９のドライバーＩＣのパッケージの伝搬遅延時間のバラツキ、その他タイミング回路１５３でのバラツキ等があっても最終段転送クロックＸＰＨ２Ｂのクロックパルスの位相シフト量調整を行って最終段転送クロックＰＨ２Ｂ↑と第１相転送クロックＰＨ１↓のクロスポイントを確保することができる。
【００９７】
次に、位相シフト量調整を含むパルス調整機能について、図１８及び図１９に基づいて説明する。
【００９８】
図１８は、パルス位相シフト量調整を示す図であり、最終段転送クロックＸＰＨ２Ｂ、リセットクロックＸＲＳ、クランプクロックＸＣＰの各位相シフト量は、図１７に示したタイミングチャートを、位相シフト量０のデフォルトとしている。本実施例の複合装置１は、位相シフト量を−４〜＋４の範囲としているが、一周期位相シフトできる構成とすることであらゆるタイミングに対応することができる。
【００９９】
図１８において、位相シフト量は、ＰＬＬ回路１６４の発生する４逓倍クロックの半クロック単位の立ち下がりエッジ基準で位相シフト０を実線で示しており、点線は、位相シフト−２、−１、＋１、＋２を示している。位相シフトの−４、−３、＋３、＋４は、同様に位相シフトするが、図１８では省略している。また、図１８では、最終段転送クロックＸＰＨ２Ｂ、リセットクロックＸＲＳについて位相シフト例を示しているが、クランプクロックＸＣＰに関しては、同様であるため、全て省略している。
【０１００】
図１９は、パルス幅増減量調整を示す図であり、最終段転送クロックＸＰＨ２Ｂ、リセットクロックＸＲＳ、クランプクロックＸＣＰの各パルス幅増減量は、図１７に示したタイミングチャートをパルス幅増減量０のデフォルトとしている。
【０１０１】
本実施例の複合装置１は、パルス幅増減量を−３〜＋３としているが、最終段転送クロックＸＰＨ２Ｂ、リセットクロックＸＲＳ、クランプクロックＸＣＰは、４逓倍の半クロック単位であると１６分割になるので、最小１分割のパルスから最大１５分割のパルス幅まで取れる構成とすることで、あらゆるタイミングに対応することができる。
【０１０２】
図１９において、最終段転送クロックＸＰＨ２Ｂ、リセットクロックＸＲＳのパルス幅増減量は、−１、＋１の例を示しており、パルス幅の増減は立ち上がりエッジ基準で行う。パルス幅増減量の−３、−２、＋２、＋３は、同様に増減するが、図１９では省略している。また、図１９では、クランプクロックＸＣＰに関しては、同様であるため、全て省略している。
【０１０３】
次に、図２０に基づいて、パルス調整機能レジスタについて説明する。位相シフト量調整機能レジスタは、図２０（ａ）に示すように、各４ｂｉｔでデフォルトを０として±４まで設定できる１６ｂｉｔレジスタ構成となっている。パルス幅増減量調整機能レジスタは、図２０（ｂ）に示すように、各３ｂｉｔで±３まで設定できる１６ｂｉｔレジスタ構成となっている。
【０１０４】
まず、上記位相シフト量調整がない場合について、図２１に基づいて説明する。図２１は、最終段転送クロックＰＨ２Ｂを含むドライバＩＣであるＣＣＤ駆動ドライバ１５９のパッケージの伝搬遅延時間が大きい場合、または、第１相転送クロックＰＨ１、第２相転送クロックＰＨ２の複数ドライバＩＣ（ＣＣＤ駆動ドライバ１５９）の総和としての伝搬遅延時間が小さい場合についてのドライバ入力（図２１（ａ））、ドライバ出力（図２１（ｂ））及びクロスポイントのタイミングチャートである。この伝搬遅延時間の差によりスキューＴｄが発生し、このスキューの発生により第１相転送クロックＰＨ１↓と最終段転送クロックＰＨ２Ｂ↑のクロスポイントは、図２１（ｃ）に示すように、規格値２Ｖ以上を確保することのできない２Ｖ以下となってしまう。
【０１０５】
したがって、転送効率の低下、ＰＲＮＵの悪化をまねくおそれが生じる。
【０１０６】
また、図２２の場合も、クランプクロックＸＣＰに最終段転送クロックＸＰＨ２Ｂと同信号を入力した場合であって、高速動作時においては、同様の不具合の発生するおそれがある。なお、図２２（ａ）は、クランプクロックＸＣＰに最終段転送クロックＸＰＨ２Ｂと同信号を入力した場合のドライバ入力、図２２（ｂ）は、そのドライバ出力、図２２（ｃ）は、クロスポイントのタイミングチャートである。
【０１０７】
図２３は、クランプクロックＸＣＰに最終段転送クロックＸＰＨ２Ｂと同信号を入力し、最終段転送クロックＸＰＨ２Ｂに位相シフト調整機能を実施した場合を示している。
【０１０８】
図２３の場合は、図２２の場合にスキューＴｄによりクロスポイント確保ができないのに対して、図２３（ａ）のドライバ入力に示すように、最終段転送クロックＸＰＨ２Ｂの位相シフト量調整機能レジスタを通常状態から−１することにより、ＰＬＬクロックを半クロックだけ位相シフトすることができる。位相シフト量は、スキューＴｄのスキュー量により適正値を調整する。図２３の例では、図２３（ｂ）、（ｃ）に示すように、スキューが（Ｔｄ−ＰＬＬ半クロック）に低減して、クロスポイントを確保することができる。さらに、最終段転送クロックＸＰＨ２ＢとＣＣＤ駆動ドライバ１５９の同一パッケージに入力しているリセットクロックＸＲＳ、クランプクロックＸＣＰに対して、最終段転送クロックＸＰＨ２Ｂと同じ位相シフト量を入れることで、各信号のタイミングを確保することができる。
【０１０９】
そして、位相シフト量の適正値の調整は、図１１に示したスキャナγ補正後の画像データを外部出力させ、外部画像評価装置１６０でＲＧＢ画像データを取り込んで、ノイズ等の影響を低減するために平均化処理を実行した後、次式（１）で転送効率の算出を行う。
【０１１０】
転送効率＝（最終画素の出力値）／（（最終＋１画素の出力値）＋最終画素の出力値）×１００％・・・（１）
外部画像評価装置１６０は、この算出した転送効率を、システム制御ユニット４１を介して調整手段としてのＣＰＵ１５０にシリアル通信によって位相シフト量の情報を送信し、ＣＰＵ１５０が、位相シフト量を調整して再度画像データの読み取り及び転送効率の算出を行って調整することにより、転送効率を規格値内に入れることで、ドライバＩＣ（ＣＣＤ駆動ドライバ１５９）のパッケージ間のスキューをキャンセルして、高信頼、高安定な画像読取を行うことができる。
【０１１１】
また、ＣＣＤ駆動ドライバ１５９のパッケージ構成として、最終段転送クロックＰＨ２Ｂ、リセットクロックＲＳ、クランプクロックＣＰを同一パッケージ内にすることで、最終段転送クロックにおけるスキューを最小限に止めることができる。さらに、最終段転送クロックＰＨ２Ｂの位相シフトにともない、リセットクロックＲＳ、クランプクロックＣＰの位相シフトも高速動作時は各タイミングにおいて余裕度がないため行う必要があり、本実施例では、リセットクロックＲＳ、クランプクロックＣＰに関しても位相シフト調整機能があるため、容易に調整することができる。
【０１１２】
さらに、本実施例の複合装置１は、ＣＣＤ駆動容量が大きくなる複数ラインＣＣＤに対して大きな効果をもたらす。
【０１１３】
また、高速読取においてＣＣＤの出力期間が充分に確保できていない場合にはパッケージ間のバラツキの影響を小さくできることで高信頼で高安定な読取を実現できる。
【０１１４】
最後に本発明の例として６回路入りのＡＣＴ０４をＣＣＤ駆動ドライバー１５９として用いている場合について示したが、８回路入りのＡＣＴ２４０等を使用しても実現可能である。
【０１１５】
このように、本実施例の複合装置１は、光源であるハロゲンランプ１５７から原稿に読取光を照射して、当該原稿からの反射光を走査光学系で光電変換手段としての３ラインＣＣＤセンサ１６に導入して、３ラインＣＣＤセンサ１６を、ＣＣＤ駆動ドライバ１５９からの少なくともシフト駆動クロック、最終段駆動クロック及びリセットクロックで駆動して画像データの転送を行い、ＣＣＤ駆動ドライバ１５９にタイミング回路１５３から各クロックを供給し、タイミング回路１５３の最終段駆動クロックの位相をＣＰＵ１５０で調整するに際して、画像データの転送効率を検査して、当該転送効率の検査結果に基づいて、ＣＰＵ１５０が、最終段駆動クロックの位相を調整している。
【０１１６】
したがって、転送クロックと最終段転送クロックとのゼロクロスポイントを適切に確保して、転送効率を適正に保つことができ、転送効率の低下及び電荷の先送り現象（ＰＲＮＵの悪化）の発生を防止して、画像品質を向上させることができる。
【０１１７】
また、本実施例の複合装置１は、タイミング回路１５３が、クロックの位相を設定するレジスタを備え、ＣＰＵ１５０が、レジスタへのクロックの位相の設定制御を行って、３ラインＣＣＤセンサ１６に供給する最終段駆動クロックの位相を調整している。
【０１１８】
したがって、パッケージ間の遅延バラツキ量に応じてレジスタでクロックの位相の設定制御を行って個別に位相を調整して、ＣＰＵ１５０等のコントローラによって位相制御することができ、また、３ラインＣＣＤセンサ１６自体の転送効率のバラツキ量やその他部品（抵抗、コンデンサ等）のバラツキ量等も含めて最終段駆動クロックの位相をレジスタで設定制御して、個別に調整し、パッケージ間の遅延バラツキがあってもクロスポイントを適切に確保することができ、転送効率の低下及び電荷の先送り現象（ＰＲＮＵの悪化）の発生をより一層適切に防止して、画像品質をより一層向上させることができる。
【０１１９】
さらに、本実施例の複合装置１は、３ラインＣＣＤセンサ１６が、最終段転送クロック及びリセットクロックで画像データの出力タイミングを決定し、ＣＣＤ駆動ドライバ１５９が、複数のパッケージＩＣドライバである駆動素子１８１ａ〜１８１ｉを有して、３ラインＣＣＤセンサ１６に供給する最終段転送クロック及びリセットクロックを同一駆動素子１８１ａ〜１８１ｉで駆動している。
【０１２０】
したがって、パッケージ間の遅延バラツキをなくしてリセットクロックのタイミングを適正化して、固体間のリセット不良を低減することができ、画像品質をより一層向上させることができる。
【０１２１】
また、本実施例の複合装置１は、３ラインＣＣＤセンサ１６が、最終段転送クロック、リセットクロック及びクランプクロックで出力タイミングが決定され、ＣＣＤ駆動ドライバ１５９が、複数のパッケージＩＣドライバである駆動素子１８１ａ〜１８１ｉを有して、３ラインＣＣＤセンサ１６に供給する最終段転送クロック、リセットクロック及びクランプクロックを同一駆動素子１８１ａ〜１８１ｉで駆動している。
【０１２２】
したがって、パッケージ間の遅延バラツキをなくして、タイミング回路１５３からのクランプクロックによりＣＣＤ駆動ドライバ１５９が３ラインＣＣＤセンサ１６に出力するクランプクロックのタイミングを適正化して、固体間のクランプ領域が増減することを防止することができ、安定したＳＮを確保して、画像品質をより一層向上させることができる。
【０１２３】
さらに、本実施例の複合装置１は、ＣＣＤ駆動ドライバ１５９が、タイミング回路１５３の発生する最終段転送クロックとクランプクロックを共通に使用して３ラインＣＣＤセンサ１６を駆動している。
【０１２４】
したがって、発生元での２信号間のバラツキによる影響をなくして、最終段転送クロックとクランプクロックを共通に使用しないときに比較して、結果的に有効クランプ領域を広くして、ランダムノイズを低減させることができ、良好なＳＮを確保して、画像品質をより一層向上させることができる。
【０１２５】
また、本実施例の複合装置１は、タイミング回路１５３が、クロックの位相を設定するレジスタを備え、ＣＰＵ１５０が、レジスタへのクロックの位相の設定制御を行って、３ラインＣＣＤセンサ１６に供給するリセットクロックの位相を調整している。
【０１２６】
したがって、リセットクロックのリセット領域を有効クランプ領域から外して、リセットクロックのパルス幅を狭くすることができ、より一層有効クランプ領域を増加させてランダムノイズを低減させて良好なＳＮを確保することができるとともに、リセットクロックのパルス幅をレジスタで設定制御できるようにして、個別に調整可能とすることができ、ＣＰＵ等のコントローラによって制御できるようにして、より一層画像品質を向上させることができる。
【０１２７】
さらに、本実施例の複合装置１は、光電変換手段として、ＣＣＤを用いている。したがって、縮小光学系の利用を可能とすることができ、焦点深度が得られるようにして、原稿浮きやある程度の立体物の読取も焦点ボケを生じさせることなく行って、画像品質を向上させることができる。
【０１２８】
また、本実施例の複合装置１は、光電変換手段として、３ラインカラーＣＣＤ１６等の複数ラインＣＣＤを用いている。
【０１２９】
したがって、転送クロックが複数ライン毎に必要となり、また、駆動するドライバも多数必要となり、複数パッケージＩＣドライバも必要になる複数ラインＣＣＤを用いても、クロスポイントのバラツキ、リセットクロックのバラツキ、クランプクロックのバラツキがそれぞれかみ合わさって読取品質が低下してしまうことを防止することができ、画像品質を向上させることができる。
【０１３０】
さらに、本実施例の複合装置１は、ＣＣＤ駆動ドライバ１５９が、３ラインＣＣＤセンサ１６に供給する２相駆動クロックを１相毎に供給する複数のパッケージＩＣドライバである駆動素子１８１ａ〜１８１ｉを有し、２相駆動クロックを同一の駆動素子１８１ａ〜１８１ｉで駆動している。
【０１３１】
したがって、クロスポイントをより一層確実に確保することができ、より一層画像品質を向上させことができる。
【０１３２】
また、本実施例の複合装置１は、ＣＣＤ駆動ドライバ１５９が、３ラインＣＣＤセンサ１６に供給する最終段位相クロックの位相の調整量を、リセットクロック及びクランプクロックの位相調整量と等しくしている。
【０１３３】
したがって、高速動作時の各タイミングを適切に取ることができ、クロスポイントをより一層確実に確保して、より一層画像品質を向上させることができる。
【０１３４】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１３５】
原稿からの反射光を光電変換する光電変換手段へのクロックのクロスポイントを確保して画像読み取りを行うスキャナ、デジタル複写装置、デジタルカラー複写装置、ファクシミリ装置及びカラーファクシミリ装置等の画像読取装置に適用することができる。
【図面の簡単な説明】
【０１３６】
【図１】本発明の画像形成装置の一実施の形態を適用した複合装置の正面概略構成図。
【図２】図１の複合装置の要部ブロック構成図。
【図３】図２の画像表示ユニットの平面図。
【図４】図３の画像表示ユニットの回路ブロック構成図。
【図５】図２の操作部ユニットの操作部ユニットの平面図。
【図６】図５のＬＥＤタッチパネルの画面表示例を示す図。
【図７】図６の画面表示で変倍キーが押下されたときの画面展開の一例を示す図。
【図８】図６及び図７のＬＣＤタッチパネルのタッチパネル検出回路の回路図。
【図９】図８のタッチパネル検出回路の検出信号の組み合わせを示す図。
【図１０】図２の操作部ユニットの回路ブロック図。
【図１１】図１の複合装置の要部回路ブロック構成図。
【図１２】図１１のタイミング回路の詳細な回路図及びＣＣＤ駆動ドライバを追加した回路ブロック図。
【図１３】図１２のＣＣＤ駆動ドライバ及び３ラインＣＣＤセンサの回路構成図。
【図１４】図１３のＣＣＤ駆動ドライバの駆動素子の伝搬遅延時間のバラツキを示す図。
【図１５】図１３のＣＣＤ駆動ドライバのドライバ入力（ａ）、ドライバ出力（ｂ）及びクロスポイントのタイミングチャート。
【図１６】図１３のＣＣＤ駆動ドライバのＸＰＨ２ＢをＸＣＰに共通にしたＣＣＤ駆動ドライバ及び３ラインＣＣＤセンサの回路構成図。
【図１７】図１６のＣＣＤ駆動ドライバのドライバ入力（ａ）、ドライバ出力（ｂ）及びクロスポイントのタイミングチャート。
【図１８】パルス位相シフト量調整処理の説明図。
【図１９】パルス幅増減量調整処理の説明図。
【図２０】パルス調整機能レジスタの位相シフト量調整機能レジスタ（ａ）とパルス幅増減量調整機能レジスタ（ｂ）の説明図。
【図２１】位相シフト量調整がない場合のＣＣＤ駆動ドライバのドライバ入力（ａ）、ドライバ出力（ｂ）及びクロスポイントのタイミングチャート。
【図２２】ＣＣＤ駆動ドライバのＸＣＰにＸＰＨ２Ｂと同信号を入力した場合のドライバ入力（ａ）、ドライバ出力（ｂ）及びクロスポイントのタイミングチャート。
【図２３】ＣＣＤ駆動ドライバのＸＣＰにＸＰＨ２Ｂと同信号を入力して位相シフト調整機能を実施した場合のドライバ入力（ａ）、ドライバ出力（ｂ）及びクロスポイントのタイミングチャート。
【符号の説明】
【０１３７】
１  複合装置
２  画像読取ユニット
３  書込ユニット
４  画像形成ユニット
５  給紙ユニット
６  手差しユニット
１１  コンタクトガラス
１２  圧板
１３  第１走行体
１４  第２走行体
１５  レンズ
１６  ３ラインＣＣＤセンサ
２１  感光体
２２  帯電器
２３  現像部
２４  中間転写部
２５  クリーニング部
２６  除電部
２７  転写部
２８  定着部
２９  中間転写ベルト
３１〜３３  給紙トレイ
３４  搬送機構部
４１  システム制御ユニット
４２  操作部ユニット
４３  画像表示ユニット
４４  複写機機構部
４５  画像処理ユニット
５１  ＬＣＤパネル
５２  カーソル
５３  読取キー
５４  全体キー
５５  拡大キー
５６  画面移動キー
５７  カーソルキー
５８  点指定キー
５９  閉じキー
６０  クリアキー
６１  オールクリアキー
６２  コントラスト調整つまみ
６３  明るさ調整つまみ
７１  ＶＲＡＭ
７２  ＬＣＤコントローラ
７３  キーボード
７４  ＲＯＭ
７５  ＣＰＵ
７６  シリアル通信ドライバ
７７  ＳＲＡＭ
７８  ＤＲＡＭ
７９  ＦＩＦＯ
８０  画像データ信号バッファ
８１  ＬＣＤタッチパネル
８２  テンキー
８３  モードクリア／予熱キー
８４  割り込みキー
８５  画質調整キー
８６  プログラムキー
８７  スタートキー
８８  クリア／ストップキー
８９  エリア加工キー
９０  輝度調整つまみ
９１  初期設定キー
１００  タッチパネル検出回路
１０１  コントローラ
１０２  Ａ／Ｄコンバータ
１１０  ＣＰＵ
１１１  アドレスラッチ
１１２  ＲＯＭ
１１３  システムリセット
１１４  アドレスデコーダ
１１５  ＬＥＤドライバ
１１６  キーボード
１１７  ＬＣＤコントローラ
１１８  タッチパネル
１１９  ＬＣＤモジュール
１２０  ＲＯＭ
１２１  ＲＡＭ
１２２  光トランシーバ
１３１、１３２、１３３  エミッタホロワ
１３４、１３５、１３６  アナログ処理回路
１３７、１３８、１３９  Ａ／Ｄコンバータ
１４０  シェーディング補正回路
１４１、１４２  ライン間補正メモリ
１４３  ドット補正回路
１４４  スキャナγ補正回路
１４５  ディレイメモリ
１４６  ＲＧＢフィルタ
１４７  プリンタγ補正回路
１４８  自動原稿色判定回路
１４９  自動画像分離回路
１５０  ＣＰＵ
１５１  ＲＯＭ
１５２  ＲＡＭ
１５３  タイミング回路
１５４  モータドライバ
１５５  パルスモータ
１５６  ランプレギュレータ
１５７  ハロゲンランプ
１５８  Ｉ／Ｏ
２００  外部画像評価装置
１５９  ＣＣＤ駆動ドライバ
１６１  クロック発生回路
１６２  バスＩ／Ｆ
１６３  レジスタ設定部
１６４  ＰＬＬ回路
１６５  ＣＣＤクロック発生回路
１６６  パルス調整回路
１７１  位相周波数検出器
１７２  チャージポンプ
１７３  電圧制御オシレータ
１７４  分周器
１８０  発振器
１８１ａ〜１８１ｉ  駆動素子
【図１】
2005142960.tif 000003
【図２】
2005142960.tif 000004
【図３】
2005142960.tif 000005
【図４】
2005142960.tif 000006
【図５】
2005142960.tif 000007
【図６】
2005142960.tif 000008
【図７】
2005142960.tif 000009
【図８】
2005142960.tif 000010
【図９】
2005142960.tif 000011
【図１０】
2005142960.tif 000012
【図１１】
2005142960.tif 000013
【図１２】
2005142960.tif 000014
【図１３】
2005142960.tif 000015
【図１４】
2005142960.tif 000016
【図１５】
2005142960.tif 000017
【図１６】
2005142960.tif 000018
【図１７】
2005142960.tif 000019
【図１８】
2005142960.tif 000020
【図１９】
2005142960.tif 000021
【図２０】
2005142960.tif 000022
【図２１】
2005142960.tif 000023
【図２２】
2005142960.tif 000024
【図２３】
2005142960.tif 000025